(57)【要約】【課題】  手間をかけさせることなく通信装置をネットワークに自動的に接続させ得るネットワーク接続支援装置を提案する。【解決手段】  携帯電話機２がネットワーク４を介してＩＳＰサーバ５からネットワーク接続設定情報を取得し、当該ネットワーク接続設定情報を機器間通信によって通信装置７に送信するようにしたことにより、ネットワーク接続設定情報が記憶された非接触型ＩＣカードを別途用意させるような手間をユーザにかけさせることなく通信装置７にネットワーク接続設定を自動的に行わせることができるので、手間をかけさせることなく通信装置７を自動的にネットワーク接続させることができる。【選択図】          図１
2005141405.tif 000002
【特許請求の範囲】
【請求項１】
通信装置をネットワーク接続させるためのネットワーク接続設定情報をネットワークを介して外部装置に要求する接続設定情報要求手段と、
上記要求に応じて上記外部装置から上記ネットワークを介して送信された上記ネットワーク接続設定情報を受信する接続設定情報受信手段と、
上記ネットワーク接続設定情報を機器間通信によって上記通信装置に送信する接続設定情報送信手段と
を具えることを特徴とするネットワーク接続支援装置。
【請求項２】
上記接続設定情報要求手段は、
無線通信網及び上記ネットワークを順次介して上記ネットワーク接続設定情報を上記外部装置に要求し、
上記接続設定情報受信手段は、
上記外部装置から上記ネットワーク及び上記無線通信網を順次介して送信された上記ネットワーク接続設定情報を受信する
ことを特徴とする請求項１に記載のネットワーク接続支援装置。
【請求項３】
上記接続設定情報送信手段は、
無線による機器間通信によって上記ネットワーク接続設定情報を上記通信装置に送信する
ことを特徴とする請求項１に記載のネットワーク接続支援装置。
【請求項４】
上記ネットワーク接続支援装置は、
携帯電話機である
ことを特徴とする請求項１に記載のネットワーク接続支援装置。
【請求項５】
上記接続設定情報受信手段は、
上記外部装置から上記ネットワークを介して電子メールとして送信された上記ネットワーク接続設定情報を受信する
ことを特徴とする請求項１に記載のネットワーク接続支援装置。
【請求項６】
通信装置をネットワーク接続させるためのネットワーク接続設定情報をネットワークを介して外部装置に要求する接続設定情報要求ステップと、
上記要求に応じて上記外部装置から上記ネットワークを介して送信された上記ネットワーク接続設定情報を受信する接続設定情報受信ステップと、
上記ネットワーク接続設定情報を機器間通信によって上記通信装置に送信する接続設定情報送信ステップと
を具えることを特徴とするネットワーク接続支援方法。
【請求項７】
上記接続設定情報要求ステップは、
無線通信網及び上記ネットワークを順次介して上記ネットワーク接続設定情報を上記外部装置に要求し、
上記接続設定情報受信ステップは、
上記外部装置から上記ネットワーク及び上記無線通信網を順次介して送信された上記ネットワーク接続設定情報を受信する
ことを特徴とする請求項６に記載のネットワーク接続支援方法。
【請求項８】
上記接続設定情報送信ステップは、
無線による機器間通信によって上記ネットワーク接続設定情報を上記通信装置に送信する
ことを特徴とする請求項６に記載のネットワーク接続支援方法。
【請求項９】
上記接続設定情報要求ステップは、
上記通信装置を上記ネットワーク接続させるための上記ネットワーク接続設定情報を携帯電話機から上記ネットワークを介して上記外部装置に要求し、
上記接続設定情報受信ステップは、
上記要求に応じて上記外部装置から上記ネットワークを介して送信された上記ネットワーク接続設定情報を上記携帯電話機で受信し、
上記接続設定情報送信ステップは、
上記ネットワーク接続設定情報を上記機器間通信によって上記携帯電話機から上記通信装置に送信する
ことを特徴とする請求項６に記載のネットワーク接続支援方法。
【請求項１０】
上記接続設定情報受信ステップは、
上記外部装置から上記ネットワークを介して電子メールとして送信された上記ネットワーク接続設定情報を受信する
ことを特徴とする請求項６に記載のネットワーク接続支援方法。
【請求項１１】
情報処理装置に対して、
通信装置をネットワーク接続させるためのネットワーク接続設定情報をネットワークを介して外部装置に要求する接続設定情報要求ステップと、
上記要求に応じて上記外部装置から上記ネットワークを介して送信された上記ネットワーク接続設定情報を受信する接続設定情報受信ステップと、
上記ネットワーク接続設定情報を機器間通信によって上記通信装置に送信する接続設定情報送信ステップと
を実行させることを特徴とするネットワーク接続支援プログラム。
【発明の詳細な説明】
【技術分野】
【０００１】
本発明はネットワーク接続支援装置に関し、例えば通信装置をインターネットやイーサネット（登録商標）等のネットワークにネットワーク接続する際に適用して好適なものである。
【背景技術】
【０００２】
従来、ネットワーク接続機能を有する通信装置は、ＤＮＳ（Domain Name System）サーバのアドレス設定やＤＨＣＰ（Dynamic  Host  Configuration  Protocol）設定といったネットワーク接続するための所定のネットワーク接続設定をユーザに入力操作させ、このネットワーク接続設定に基づいてネットワーク接続していた。なお、このネットワーク接続とは、単にケーブル等を介してネットワークと物理的に接続された状態を表しているのではなく、ケーブル等を介してネットワークと物理的に接続されると共に、当該ネットワーク上の機器と通信可能な接続状態となることを表している。
【０００３】
ところが、このようなネットワーク接続設定の入力操作はユーザにとって面倒であり、またネットワークの知識を持たないユーザにとっては敷居が高く、誰もが容易に設定し得るとは言い難かった。
【０００４】
そこで、このようなネットワーク接続設定の情報（以下、これをネットワーク接続設定情報と呼ぶ）が予め記憶された非接触型ＩＣカードから当該ネットワーク接続設定情報を読み取り、当該ネットワーク接続設定情報に基づいてネットワーク接続設定を行うことにより、自動的にネットワーク接続できるようになされた通信装置がある（例えば特許文献１参照）。
【特許文献１】特開２００３−２２９８７２公報
【発明の開示】
【発明が解決しようとする課題】
【０００５】
しかしながら、かかる通信装置では、非接触型ＩＣカードからネットワーク接続設定情報を読み取るための専用の読取装置が必要となるうえに、ネットワーク接続設定情報が記憶された専用の非接触型ＩＣカードをユーザに別途用意させなければならず、ネットワーク接続設定に手間がかかるという問題があった。
【０００６】
本発明は以上の点を考慮してなされたもので、手間をかけさせることなく通信装置を自動的にネットワーク接続させ得るネットワーク接続支援装置を提案しようとするものである。
【課題を解決するための手段】
【０００７】
かかる課題を解決するため本発明のネットワーク接続支援装置においては、通信装置をネットワーク接続させるためのネットワーク接続設定情報をネットワークを介して外部装置に要求する接続設定情報要求手段と、要求に応じて外部装置からネットワークを介して送信されたネットワーク接続設定情報を受信する接続設定情報受信手段と、ネットワーク接続設定情報を機器間通信によって通信装置に送信する接続設定情報送信手段とを設けるようにした。
【０００８】
また本発明のネットワーク接続支援方法においては、通信装置をネットワーク接続させるためのネットワーク接続設定情報をネットワークを介して外部装置に要求する接続設定情報要求ステップと、要求に応じて外部装置からネットワークを介して送信されたネットワーク接続設定情報を受信する接続設定情報受信ステップと、ネットワーク接続設定情報を機器間通信によって通信装置に送信する接続設定情報送信ステップとを設けるようにした。
【０００９】
さらに本発明のネットワーク接続支援プログラムにおいては、情報処理装置に対して、通信装置をネットワーク接続させるためのネットワーク接続設定情報をネットワークを介して外部装置に要求する接続設定情報要求ステップと、要求に応じて外部装置からネットワークを介して送信されたネットワーク接続設定情報を受信する接続設定情報受信ステップと、ネットワーク接続設定情報を機器間通信によって通信装置に送信する接続設定情報送信ステップとを実行させるようにした。
【００１０】
このようにネットワークを介して外部装置からネットワーク接続設定情報を取得し、当該ネットワーク接続設定情報を機器間通信によって通信装置に送信するようにしたことにより、ユーザにネットワーク接続設定情報が記憶された非接触型ＩＣカードを別途用意させるような手間をかけさせることなく通信装置に当該ネットワーク接続設定情報に基づいて自動的にネットワーク接続設定を行わせることができる。
【発明の効果】
【００１１】
本発明によれば、ネットワークを介して外部装置からネットワーク接続設定情報を取得し、当該ネットワーク接続設定情報を機器間通信によって通信装置に送信するようにしたことにより、ユーザにネットワーク接続設定情報が記憶された非接触型ＩＣカードを別途用意させるような手間をかけさせることなく通信装置に当該ネットワーク接続設定情報に基づいて自動的にネットワーク接続設定を行わせることができるので、手間をかけさせることなく通信装置を自動的にネットワーク接続させ得るネットワーク接続支援装置、ネットワーク接続支援方法及びネットワーク接続支援プログラムを実現できる。
【発明を実施するための最良の形態】
【００１２】
以下図面について、本発明の一実施の形態を詳述する。
【００１３】
（１）ネットワークシステムの全体構成
図１において、１は全体として本発明を適用したネットワークシステムを示し、携帯電話機２が基地局３と無線通信し得るようになされている。またこの携帯電話機２は、ネットワーク４への接続機能を有しており、ネットワーク接続するためのネットワーク接続設定が予め行われていることにより、基地局３を介してネットワーク４にネットワーク接続し得るようになされている。これにより携帯電話機２は、ネットワーク４を介して当該ネットワーク４に接続されたＩＳＰ（Internet Service Provider）サーバ５等の各種サーバと接続し得、当該ＩＳＰサーバ５と各種データをやり取りし得るようになされている。
【００１４】
また通信装置７も携帯電話機２と同様にネットワーク接続機能を有している。ただし、通信装置７においては、ネットワーク接続設定が予め行われておらず、購入後、当該通信当該ネットワーク接続設定が行われることにより、ネットワーク接続し得るようになされている。
【００１５】
実際上、携帯電話機２や通信装置７をネットワーク接続するためには、プロバイダと呼ばれるネットワークサービス提供会社とユーザが契約する必要があり、携帯電話機２においては、購入時にユーザが決められたネットワークサービス提供会社と契約するようになされているため、当該ネットワークサービス提供会社に応じたネットワーク接続設定を販売前に予め行っておくことができる。
【００１６】
これに対して通信装置７においては、購入時にユーザが所定のネットワークサービス提供会社と契約する必要はなく、購入後、ユーザにネットワークサービス提供会社を選択させ、選択されたネットワークサービス提供会社に応じたネットワーク接続設定が行われることにより、ネットワーク接続し得るようになされている。
【００１７】
さらにこの携帯電話機２及び通信装置７においては、それぞれに設けられたＵＳＢ端子にＵＳＢシリアルケーブル６を差し込むだけで自動的に所定の接続設定が行われて当該携帯電話機２と通信装置７とが通信し得る状態になるプラグアンドプレイに対応しており、これによりユーザに何ら特別な設定を行わせることなくそれぞれにＵＳＢシリアルケーブル６を差し込むだけで互いに機器間通信し得るようになされている。
【００１８】
このように携帯電話機２は、ユーザに何ら特別な設定を行わせることなくネットワーク４にネットワーク接続し得ると共に、通信装置７と通信し得るようになされており、一方、通信装置７は、ユーザに何ら特別な設定を行わせることなく携帯電話機２と通信し得、またネットワーク接続設定が行われることによりネットワーク接続し得るようになされている。
【００１９】
またＩＳＰサーバ５は、ネットワークサービス提供会社が運営するサーバであり、当該ネットワークサービス提供会社と契約した通信装置７のユーザに発行するユーザＩＤ及び当該ユーザＩＤに応じた通信装置７のネットワーク接続設定情報を記憶管理するようになされている。
【００２０】
このネットワーク接続設定情報には、ユーザＩＤ、パスワード、ＤＮＳのアドレス、ＤＨＣＰ設定、メールＩＤ、メールサーバのアドレス等が含まれており、これらの情報は、ＩＳＰサーバ５を運営するネットワークサービス提供会社と契約したユーザ毎に固有の情報であり、また通信装置７をネットワーク接続するために必要な情報である。
【００２１】
（１−１）携帯電話機の回路構成
図２に示すように携帯電話機２は、ＣＰＵ（Central Processing Unit）１０に対して、通信プログラムやネットワーク接続支援プログラム等の各種プログラムを格納したＲＯＭ（Read Only Memory）１１、当該ＣＰＵ１０のワークエリアとして用いられるＲＡＭ（Random Access Memory）１２、電話番号等のように更新されるデータを記憶しておく不揮発性メモリ１３、数字キーや電源キー等の操作キー及びキーコントローラでなる操作部１４、液晶ディスプレイ及びディスプレイコントローラでなる表示部１５、送受信部１６及びシリアルインターフェース１７が接続されており、さらに送受信部１６には、アンテナ１８、マイクロフォン１９及びスピーカ２０が接続されている。
【００２２】
ＣＰＵ１０は、操作部１４を介して入力される通話命令や、ＩＳＰサーバ５及び通信装置７との接続命令、通信装置７に対するネットワーク接続設定命令等に応じて、ＲＯＭ１１から各種プログラムを適宜読み出し、これらをＲＡＭ１２に展開して実行することにより携帯電話機２の各回路部を制御して、各種命令に応じた処理を実行するようになされている。
【００２３】
実際上ＣＰＵ１０は、操作部１４を介して通話命令が入力されると、ユーザの音声をマイクロフォン１９で集音し、得られた音声データに対して送受信部１６で所定の送信処理を施すことにより送信信号を生成し、これをアンテナ１８から基地局３に送信する。
【００２４】
またＣＰＵ１０は、基地局３から送信された相手の音声に相当する受信信号をアンテナ１８で受信して送受信部１６に取り込み、当該送受信部１６でその受信信号に所定の受信処理を施し、得られた音声データに基づく相手の音声をスピーカ２０から出力することにより、ユーザと相手とを通話させる。
【００２５】
一方、操作部１４を介してサーバ接続命令が入力されると、ＣＰＵ１０は、ＩＳＰサーバ５との接続を要求する接続要求信号をアンテナ１８から基地局３及びネットワーク４を介してＩＳＰサーバ５に送信する。
【００２６】
そしてＣＰＵ１０は、接続要求信号に応じてＩＳＰサーバ５から基地局３へ送信された接続確認信号を当該基地局３からアンテナ１８で受信すると、ＩＳＰサーバ５と通信し得る状態であると認識し、それ以降、接続を切断するまでＩＳＰサーバ５からホームページのデータ（以下、これをページデータと呼ぶ）をダウンロードして当該ホームページを表示部１５に表示したり、当該ＩＳＰサーバ５と各種データをやり取りするようになされている。
【００２７】
また、その接続命令が通信装置接続命令であれば、ＣＰＵ１０は、通信装置７との接続を要求する接続要求信号をシリアルインターフェース１７からＵＳＢシリアルケーブル６を介して通信装置７に送信する。
【００２８】
そしてＣＰＵ１０は、接続要求信号に応じて通信装置７から送信された接続確認信号をシリアルインターフェース１７を介して受信すると、通信装置７と通信し得る状態であると認識し、それ以降、接続を切断するまで通信装置７と各種データをやり取りするようになされている。
【００２９】
（１−２）ＩＳＰサーバの回路構成
図３に示すようにＩＳＰサーバ５は、ＣＰＵからなる制御部２１が、ＲＯＭ２２又はハードディスクドライブ２３に記憶されている基本プログラムや通信プログラム等の各種プログラムをバス２４を介してＲＡＭ２５に適宜展開し、これを実行することにより携帯電話機２や通信装置７と各種データをやり取りするための通信処理や、その他各種処理を実行するようになされている。また、このハードディスクドライブ２３には、後述するユーザ認証ページのページデータや、通信装置７のユーザＩＤ及び当該ユーザＩＤに対応するネットワーク接続設定情報等が予め記憶されている。
【００３０】
ＩＳＰサーバ５の制御部２１は、携帯電話機２から基地局３、ネットワーク４及びデータ通信処理部２６を順次介して接続要求信号を受信すると、当該携帯電話機２との接続を確認し、当該接続要求信号に応じた接続確認信号をデータ通信処理部２６から携帯電話機２に送信するようになされている。
【００３１】
また同様にして、ＩＳＰサーバ５の制御部２１は、通信装置７からネットワーク４及びデータ通信処理部２６を順次介して接続要求信号を受信すると、当該通信装置７２との接続を確認し、当該接続要求信号に応じた接続確認信号をデータ通信処理部２６から通信装置７に送信するようになされている。
【００３２】
（１−３）通信装置の回路構成
図４に示すように通信装置７は、ＣＰＵ３０が、ＲＯＭ３２に記憶されている基本プログラムやネットワーク接続設定プログラム等の各種プログラムをバス３１を介してＲＡＭ３３に適宜展開し、これを実行することにより、全体を制御すると共に、ユーザからの入出力操作に応じた各種処理を実行する。
【００３３】
操作入力部３５は、本体部の筐体表面やリモートコントローラ（図示せず）の各種操作子に対するユーザの操作に応じた入力情報を入力処理部３６へ送出し、当該入力処理部３６で所定の処理を施した後に操作コマンドとしてＣＰＵ３０へ送出し、当該ＣＰＵ３０で操作コマンドに応じた処理を実行するようになされている。
【００３４】
ディスプレイ３７は、例えば液晶ディスプレイ等の表示デバイスが本体部の筐体表面に直接取り付けられている場合や、外付けの表示デバイスであってもよく、表示処理部３８を介して入力される各種情報を表示するようになされている。また本実施の形態の場合、このディスプレイ３７は、通常のテレビジョンやパーソナルコンピュータ用のディスプレイよりも小さいサイズ（５インチ程度）となっている。
【００３５】
メディアドライブ３９は、ＣＤやメモリスティック（登録商標）等のコンテンツが記録されたメディアを再生するドライブであって、再生結果をオーディオデータ処理部４０を介してディジタルアナログ変換処理した後に２ｃｈのスピーカ４１から出力するようになされている。
【００３６】
なおＣＰＵ３０は、メディアドライブ３９を介して再生したデータが楽曲のオーディオコンテンツである場合、当該データをオーディオデータファイルとしてハードディスクドライブ３４に記憶することも可能である。
【００３７】
さらにＣＰＵ３０は、メディアドライブ３９によってメモリスティック等に記憶された複数枚の静止画を読み出し、これらを表示処理部３８を介してディスプレイ３７にスライドショーとして表示することもできる。
【００３８】
またＣＰＵ３０は、ハードディスクドライブ３４に記憶した複数の楽曲をランダムアクセスで読み出し、あたかもジュークボックスのようにユーザ所望の順番で再生して出力することも可能である。
【００３９】
チューナ部４２は、例えばＡＭ、ＦＭラジオチューナであって、ＣＰＵ３０の制御に基づいてアンテナ４３で受信した放送信号を復調し、その結果を放送音声としてオーディオデータ処理部４０を介してスピーカ４１から出力する。
【００４０】
通信処理部４４は、ネットワーク接続設定が行われると、当該ネットワーク接続設定に基づいてネットワーク４とネットワーク接続し、ＣＰＵ３０の制御の基に送信データのエンコード処理を行い、ネットワークインターフェース４５を介してネットワーク４経由でＩＳＰサーバ５へ送信したり、当該ネットワークインターフェース４５を介してＩＳＰサーバ５から受信した受信データのデコード処理を行い、ＣＰＵ３０へ転送するようになされている。
【００４１】
さらにＣＰＵ３０は、携帯電話機２から送信された接続要求信号をＵＳＢシリアルケーブル６経由でＵＳＢインターフェース４６を介して受信すると、当該携帯電話機２との接続を確認し、当該接続要求信号に応じた接続確認信号をＵＳＢインターフェース４６を介して携帯電話機２に送信するようになされている。
【００４２】
（２）通信装置７に対するネットワーク接続設定支援処理
次に、通信装置７をネットワーク接続するためのネットワーク接続設定を支援するネットワーク接続設定支援処理について、携帯電話機２がＩＳＰサーバ５からネットワーク接続設定情報を取得するネットワーク接続設定情報取得処理と、当該携帯電話機２が取得したネットワーク接続設定情報を通信装置７に送信して当該通信装置７にネットワーク接続設定を実行させるネットワーク接続設定処理とに分けて説明する。
【００４３】
なお、このネットワーク接続設定支援処理は、携帯電話機２のＣＰＵ１０がネットワーク接続支援プログラムをＲＯＭ１１から読み出して実行し、ＩＳＰサーバ５の制御部２１が通信プログラムをＲＯＭ２２から読み出して実行し、通信装置７のＣＰＵ３０がネットワーク接続設定プログラムをＲＯＭ３２から読み出して実行することにより、実行されるものである。
【００４４】
（２−１）ネットワーク接続設定情報取得処理
まず携帯電話機２がＩＳＰサーバ５からネットワーク接続設定情報を取得するネットワーク接続設定情報取得処理について、図５のシーケンスチャートを用いて説明する。
【００４５】
携帯電話機２は、操作部１３を介して通信装置７に対するネットワーク接続設定命令が入力されたことを認識すると、まずネットワーク接続設定情報取得処理を開始し、ステップＳＰ１において、Ｗｅｂブラウザを起動することにより所定のＷｅｂブラウザ画面を表示部１５に表示して次のステップＳＰ２に移る。
【００４６】
ステップＳＰ２において携帯電話機２は、通信端末７のネットワーク接続設定情報を記憶管理しているＩＳＰサーバ５に対して接続要求信号を送信し、次のステップＳＰ３に移る。
【００４７】
ＩＳＰサーバ５は、携帯電話機２から送信された接続要求信号を受信すると、当該携帯電話機２との通信処理を開始し、ステップＳＰ２０において、当該接続要求信号に応じた接続確認信号を携帯電話機２に送信する。また、このときＩＳＰサーバ５は、接続確認信号と共に、後述するユーザ認証ページのページデータをハードディスクドライブ３４から読み出して携帯電話機２に送信する。
【００４８】
ステップＳＰ３において携帯電話機２は、ＩＳＰサーバ５に接続できたか否かを判断する。このステップＳＰ３において否定結果を得ると、このことはＩＳＰサーバ５に接続要求信号を送信したにも関わらず当該ＩＳＰサーバ５から接続確認信号が返信されてこなかったことを表しており、このとき携帯電話機２は、ステップＳＰ１０（図６）に移ってＷｅｂブラウザ画面にＩＳＰサーバ５に接続できなかった旨を伝える所定のメッセージを表示し、次のステップＳＰ１１に移る。
【００４９】
これに対してステップＳＰ３（図５）において肯定結果を得ると、このことはＩＳＰサーバ５に接続要求信号を送信した後、当該ＩＳＰサーバ５から接続確認信号が返信されてきたことを表しており、このとき携帯電話機２は、次のステップＳＰ４に移る。
【００５０】
ステップＳＰ４において携帯電話機２は、ＩＳＰサーバ５から接続確認信号と共に送信されてきたページデータをユーザ認証ページに変換してＷｅｂブラウザ画面に表示し、次のステップＳＰ５に移る。
【００５１】
この場合のユーザ認証ページは、図７に示すように通信装置７のユーザＩＤを入力するためのユーザＩＤ入力ボックスＵＢ及び、入力されたユーザＩＤをＩＳＰサーバ５に送信するトリガとなる送信ボタンＳＢで構成される。
【００５２】
そして、ステップＳＰ５において携帯電話機２は、操作部１４を介してユーザＩＤ入力ボックスにユーザＩＤが入力され、送信ボタンＳＢが押下されたことを認識すると、ユーザＩＤ入力ボックスに入力されたユーザＩＤをＩＳＰサーバ５に送信し、次のステップＳＰ６に移る。
【００５３】
ＩＳＰサーバ５は、携帯電話機２から送信されたユーザＩＤを受信すると、ステップＳＰ２１において、当該ユーザＩＤが通信装置７の正規ユーザに対して発行されたものであるかを認証するユーザ認証を行い、次のステップＳＰ２２に移る。
【００５４】
ステップＳＰ２２においてＩＳＰサーバ５は、ユーザ認証の結果を認証結果情報として携帯電話機２に送信する。
【００５５】
携帯電話機２は、ＩＳＰサーバ５から送信された認証結果情報を受信すると、ステップＳＰ６において、当該認証結果情報に基づいてユーザに入力されたユーザＩＤが正規ユーザに対して発行されたものであると認証されたか否かを判断する。
【００５６】
このステップＳＰ６において否定結果を得ると、このことは認証結果情報が入力されたユーザＩＤを正規ユーザに発行したものではないと示していることを表しており、このとき携帯電話機２は、次のステップＳＰ１０に移って、Ｗｅｂブラウザ画面にユーザＩＤが認証されなかった旨を伝える所定のメッセージを表示し、次のステップＳＰ１１に移る。
【００５７】
これに対してステップＳＰ６において肯定結果を得ると、このことは認証結果情報が入力されたユーザＩＤを正規ユーザに発行したものであると示していることを表しており、このとき携帯電話機２は、次のステップＳＰ７に移る。
【００５８】
ステップＳＰ７において携帯電話機２は、通信装置７のネットワーク接続設定情報を要求するための設定情報要求信号をＩＳＰサーバ５に送信し、次のステップＳＰ８に移る。
【００５９】
ＩＳＰサーバ５は、携帯電話機２から設定情報要求信号を受信すると、携帯電話機２から送信された通信装置７のユーザＩＤに対応するネットワーク接続設定情報をハードディスクドライブ３４から読み出し、これを所定のファイル形式で携帯電話機２に送信する。
【００６０】
携帯電話機２は、ＩＳＰサーバ５から送信された通信装置７のネットワーク接続設定情報を受信すると、ステップＳＰ８において、当該ネットワーク接続設定情報を不揮発性メモリ１３に記憶し、次のステップＳＰ９（図６）に移る。
【００６１】
ステップＳＰ９において携帯電話機２は、ネットワーク接続設定情報を受信したことをＩＳＰサーバ５に通知するための受信確認信号及びＩＳＰサーバ５との接続の切断を要求するための切断要求信号をＩＳＰサーバ５に送信し、次のステップＳＰ１１に移ってネットワーク接続設定情報取得処理を終了する。
【００６２】
ＩＳＰサーバ５は、携帯電話機２から受信確認信号及び切断要求信号を受信すると、ネットワーク接続設定情報が携帯電話機２に届けられ、自身との接続の切断を要求していることを認識し、ステップＳＰ２４において、切断確認信号を携帯電話機２に送信して、次のステップＳＰ２５に移って携帯電話機２との通信処理を終了する。
【００６３】
このようにネットワーク接続設定情報取得処理においては、予めネットワーク接続された携帯電話機２が、ユーザにユーザＩＤを入力させるだけで、ＩＳＰサーバ５からネットワーク４を介してネットワーク接続設定情報を取得し得るようになされている。
【００６４】
（２−２）ネットワーク接続設定処理
次に携帯電話機２が取得したネットワーク接続設定情報を通信装置７に送信して当該通信装置７にネットワーク接続設定を自動的に行わせるネットワーク接続設定処理について、図８のシーケンスチャートを用いて説明する。
【００６５】
携帯電話機２は、上述のネットワーク接続設定情報取得処理を終了した後、ネットワーク接続設定処理を開始し、ステップＳＰ３０において、ネットワーク接続設定アプリケーションを起動し、次のステップＳＰ３１に移る。
【００６６】
ステップＳＰ３１において携帯電話機２は、通信装置７に対して接続要求信号を送信し、次のステップＳＰ３２に移る。
【００６７】
通信装置７は、携帯電話機２から送信された接続要求信号を受信すると、当該携帯電話機２との接続を確認すると共にネットワーク接続設定処理を開始し、ステップＳＰ４０において、当該接続要求信号に応じた接続確認信号を携帯電話機２に送信する。
【００６８】
ステップＳＰ３２において携帯電話機２は、通信装置７と接続できたか否かを判断する。このステップＳＰ３２において否定結果を得ると、このことは通信装置７に接続要求信号を送信したにも関わらず当該通信装置７から接続確認信号が返信されてこなかったことを表しており、このとき携帯電話機２は、ステップＳＰ３６に移って表示部１４に通信装置７と接続できなかった旨を伝える所定のメッセージを表示し、次のステップＳＰ３７に移る。
【００６９】
これに対してステップＳＰ３２において肯定結果を得ると、このことは通信装置７に接続要求信号を送信した後、当該通信装置７から当該接続要求信号に応じた接続確認信号が返信されてきたことを表しており、このとき携帯電話機２は、次のステップＳＰ３３に移る。
【００７０】
ステップＳＰ３３において携帯電話機２は、上述のネットワーク接続設定情報取得処理においてＩＳＰサーバ５から取得したネットワーク接続設定情報を不揮発性メモリ１３から読み出し、これを通信装置７に送信して次のステップＳＰ３４に移る。
【００７１】
通信装置７は、携帯電話機２から送信されたネットワーク接続設定情報を受信すると、ステップＳＰ４１において、当該ネットワーク接続設定情報に基づいてネットワーク接続設定を自動的に行い、次のステップＳＰ４２に移る。
【００７２】
ステップＳＰ４２において、通信装置７は、ネットワーク接続設定が完了したことを通知するための設定完了信号を携帯電話機２に送信する。
【００７３】
ステップＳＰ３４において携帯電話機２は、通信装置７においてネットワーク接続設定が行えたか否かを判断する。ここで否定結果を得ると、このことは通信装置７にネットワーク接続設定情報を送信したのにも関わらず、当該通信装置７から設定完了信号が返信されてこなかったことを表しており、このとき携帯電話機２は、ステップＳＰ３６に移って表示部１４に通信装置７のネットワーク接続設定が正常に完了しなかった旨を伝える所定のメッセージを表示し、次のステップＳＰ３７に移る。
【００７４】
これに対してステップＳＰ３４において肯定結果を得ると、このことは通信装置７にネットワーク接続設定情報を送信した後、当該通信装置７からネットワーク接続設定が完了したことを示す設定完了信号が返信されてきたことを表しており、このとき携帯電話機２は、次のステップＳＰ３５に移る。
【００７５】
ステップＳＰ３５において携帯電話機２は、通信装置７との接続の切断を要求するための切断要求信号を通信装置７に送信し、次のステップＳＰ３７に移ってネットワーク接続設定処理を終了する。
【００７６】
通信装置７は、携帯電話機２から送信された切断要求信号を受信すると、携帯電話機２が自身との接続の切断を要求していることを認識し、ステップＳＰ４３において、切断確認信号を携帯電話機２に送信して次のステップＳＰ４４に移り、ネットワーク接続設定処理を終了する。
【００７７】
このようにネットワーク接続設定処理においては、携帯電話機２が、ネットワーク接続設定情報を通信装置７に送信して、当該通信装置７に当該ネットワーク接続設定情報に基づいてネットワーク接続設定を自動的に行わせるようになされている。
【００７８】
（３）動作及び効果
以上の構成において、ネットワークシステム１の携帯電話機２は、通信装置７に対するネットワーク接続設定命令が入力されると、ユーザにユーザＩＤを入力させ、これをＩＳＰサーバ５に送信する。
【００７９】
ＩＳＰサーバ５は、携帯電話機２からユーザＩＤを受信すると、当該ユーザＩＤに応じた通信装置７のネットワーク接続設定情報をハードディスク３４から読み出し、これを携帯電話機２に送信する。
【００８０】
そして携帯電話機２は、ＩＳＰサーバ５から通信装置７のネットワーク接続設定情報を受信すると、当該ネットワーク接続設定情報を通信装置７に送信して、当該通信装置７に当該ネットワーク接続設定情報に基づいて自動的にネットワーク接続設定を行わせる。
【００８１】
これにより携帯電話機２は、ユーザＩＤを入力させるといった簡単な操作のみで通信装置７にネットワーク接続設定を自動的に行わせることができるので、ユーザに手間をかけさせることなく当該通信装置７を自動的にネットワーク接続させることができる。
【００８２】
また広く普及している汎用の携帯電話機２を用いて、通信装置７のネットワーク接続設定を支援するようにしたことにより、上述のようなネットワークシステム１を容易に構築することができ、携帯電話機２を保有しているユーザであれば、ネットワーク接続を支援する専用の機器を別途用意するような手間をかけることなく通信装置７にネットワーク接続設定を自動的に行わせることができる。
【００８３】
以上の構成によれば、ネットワークシステム１の携帯電話機２においては、ネットワーク４を介してＩＳＰサーバ５からネットワーク接続設定情報を取得し、当該ネットワーク接続設定情報を機器間通信によって通信装置７に送信するようにしたことにより、ネットワーク接続設定情報が記憶された非接触型ＩＣカード等のネットワーク接続設定を支援する専用機器を別途用意させるような手間をユーザにかけさせることなく通信装置７にネットワーク接続設定を自動的に行わせることができるので、手間をかけさせることなく通信装置７を自動的にネットワーク接続させることができる。
【００８４】
また、ネットワーク接続設定情報をＩＳＰサーバ５が一括管理するようにしたことにより、例えばネットワーク接続設定情報が更新された場合でも、再度携帯電話機２にユーザＩＤを入力させるだけで容易に通信装置７のネットワーク接続設定を更新することができる。
【００８５】
（４）他の実施の形態
なお上述の実施の形態においては、ネットワーク接続設定支援装置として携帯電話機２を用いるようにした場合について述べたが、本発明はこれに限らず、ユーザに特別な設定を行わせることなくネットワーク４にネットワーク接続し得ると共に、通信装置７と通信し得る機器であれば、例えば販売店で予めネットワーク接続の設定が行われたパーソナルコンピュータやＰＤＡ等の情報処理装置のように他の種々の機器をネットワーク接続設定支援装置として用いるようにしてもよい。
【００８６】
また上述の実施の形態においては、携帯電話機２と通信装置７とをＵＳＢシリアルケーブル６を介して接続することにより、機器間通信を行うようにした場合について述べたが、本発明はこれに限らず、ユーザに特別な設定を行わせることなく携帯電話機２と通信装置７とを機器間通信させ得る接続方法であれば、例えばＩＥＥＥ（Institute  of  Electrical  and  Electronics  Engineers）１３９４規格に準じたケーブル接続や、赤外線による無線接続等、他の種々の接続方法を用いるようにしてもよい。
【００８７】
さらに上述の実施の形態においては、外部装置としてのＩＳＰサーバ５が、ネットワーク接続設定情報を所定のファイル形式で送信し、これを携帯電話機２が受信するようにした場合について述べたが、本発明はこれに限らず、当該ネットワーク接続設定情報を電子メールとして携帯電話機２に送信し、当該携帯電話機２がこの電子メールを受信することによりネットワーク接続設定情報を取得するようにしてもよい。
【００８８】
さらに上述の実施の形態においては、接続設定情報要求手段、接続設定情報受信手段及び接続設定情報送信手段としてのＣＰＵ１０と、接続設定情報要求手段及び接続設定情報受信手段としての送受信部１６及びアンテナ１８と、接続設定情報送信手段としてのシリアルインターフェース１７によってネットワーク接続支援装置としての携帯電話機２を構成する場合について述べたが、本発明はこれに限らず、この他種々の回路構成で携帯電話機２を構成するようにしてもよい。
【産業上の利用可能性】
【００８９】
本発明は、例えば予めネットワーク接続された携帯電話機に利用することができる。
【図面の簡単な説明】
【００９０】
【図１】本発明によるネットワークシステムの全体構成を示す略線図である。
【図２】携帯電話機の回路構成を示す略線図である。
【図３】ＩＳＰサーバの回路構成を示す略線図である。
【図４】通信装置の回路構成を示す略線図である。
【図５】ネットワーク接続設定情報取得処理を示すシーケンスチャートである。
【図６】図５のネットワーク接続設定情報取得処理に続くシーケンスチャートである。
【図７】ユーザ認証ページの構成を示す略線図である。
【図８】ネットワーク接続設定処理を示すシーケンスチャートである。
【符号の説明】
【００９１】
１……ネットワークシステム、２……携帯電話機、３……基地局、４……ネットワーク、５……ＩＳＰサーバ、６……ＵＳＢシリアルケーブル、７……通信装置、１０、３０……ＣＰＵ、１６……送受信部、１７……シリアルインターフェース、１８……アンテナ。
【図１】
2005141405.tif 000003
【図２】
2005141405.tif 000004
【図３】
2005141405.tif 000005
【図４】
2005141405.tif 000006
【図５】
2005141405.tif 000007
【図６】
2005141405.tif 000008
【図７】
2005141405.tif 000009
【図８】
2005141405.tif 000010